(57)【特許請求の範囲】
【請求項１】
樹脂の成形品よりなるパネル本体と、
前記パネル本体に一体化されて、該パネル本体の一方の板面から他方の板面に貫通するコネクタ端子と、
前記パネル本体の一方の板面から突出する前記コネクタ端子の突出部を囲むように、前記パネル本体の一方の板面に、該パネル本体と一体に突出形成され、前記コネクタ端子と共にコネクタを構成する枠状のコネクタハウジング部と、
前記コネクタ端子に導通するように前記パネル本体の板面に配設された回路体と、
を備え、
前記パネル本体の前記一方の板面の第１領域には、前記一方の板面の前記第１領域以外の平面領域から突出する凸部が前記パネル本体と一体に形成され、前記パネル本体の前記他方の板面の前記凸部に対応する第２領域には、前記他方の板面の前記第２領域以外の平面領域から窪む凹部が前記パネル本体と一体に形成され、
前記コネクタ端子は、前記凸部から前記凹部に貫通していることを特徴とする電気回路付きパネル。
【請求項２】
前記回路体が、前記パネル本体の他方の板面から突出する前記コネクタ端子の突出部に導通するように、且つ、前記他方の板面における前記第２領域及び前記平面領域を連続して覆うように、前記パネル本体の他方の板面側に配設されていることを特徴とする請求項１に記載の電気回路付きパネル。
【請求項３】
前記回路体が、前記パネル本体の他方の板面に金属ペーストを印刷することにより形成された印刷回路体であることを特徴とする請求項２に記載の電気回路付きパネル。
【請求項４】
前記回路体が、フラット回路体により構成され、該回路体が前記パネル本体に対して後付けされることで、前記回路体に対して前記コネクタ端子の突出部が貫通し、前記回路体と前記コネクタ端子とが導通接続されることを特徴とする請求項２に記載の電気回路付きパネル。
【請求項５】
前記パネル本体の前記凹部に、前記コネクタ端子の突出部と前記回路体との導通部と、該回路体に実装された電子部品とが収容されており、該凹部を覆った状態で、前記パネル本体の他方の板面に緩衝材を介して表皮材が貼り付けられていることを特徴とする請求項２ないし４のいずれか１項に記載の電気回路付きパネル。
【発明の詳細な説明】
【技術分野】
【０００１】
本発明は、車両用部品として好適な電気回路付きパネルに関するものである。
【背景技術】
【０００２】
図４は、電気回路付きパネルの従来例を示している。
この図４に示す電気回路付きパネル１１０は、樹脂等で成形されたパネル本体１１１の板面に沿ってワイヤハーネス（電気回路体）１６０を配索し、ワイヤハーネス１６０の適当箇所をクランプ１２２でパネル本体１１１に固定し、ワイヤハーネス１６０の端末部に取り付けたコネクタ１２５を、各電装品装備箇所１７０に装備される図示略の電装品のコネクタと接続できるように構成したものである。
【０００３】
この電気回路付きパネル１１０を使用する場合は、電装品を電気回路付きパネル１１０に取り付けた後に、ワイヤハーネス１６０の各端末部のコネクタ１２５と電装品側のコネクタとをそれぞれに接続するという作業が必要になる。
【０００４】
この種の電気回路付きパネルの類似例は、特許文献１などに記載されている。
【先行技術文献】
【特許文献】
【０００５】
【特許文献１】特開２０１０−２７２４２号公報
【発明の概要】
【発明が解決しようとする課題】
【０００６】
上述の従来の電気回路付きパネル１１０の場合、電装品を電気回路付きパネル１１０に取り付けた後にワイヤハーネス１６０の各端末部のコネクタ１２５と電装品側のコネクタとをそれぞれに接続する作業が必要であるため、組付作業工数が多くなっていた。
【０００７】
本発明は、上述した事情に鑑みてなされたものであり、その目的は、例えば電装品をパネル本体に装着した際に同時に電装品側の回路とパネル側の回路とを電気接続することのできる電気回路付きパネルを提供することにある。
【課題を解決するための手段】
【０００８】
前述した目的を達成するために、本発明に電気回路付きパネルは、下記（１）〜（５）を特徴としている。
（１）  樹脂の成形品よりなるパネル本体と、
前記パネル本体に一体化されて、該パネル本体の一方の板面から他方の板面に貫通するコネクタ端子と、
前記パネル本体の一方の板面から突出する前記コネクタ端子の突出部を囲むように、前記パネル本体の一方の板面に、該パネル本体と一体に突出形成され、前記コネクタ端子と共にコネクタを構成する枠状のコネクタハウジング部と、
前記コネクタ端子に導通するように前記パネル本体の板面に配設された回路体と、
を備え、
前記パネル本体の前記一方の板面の第１領域には、前記一方の板面の前記第１領域以外の平面領域から突出する凸部が前記パネル本体と一体に形成され、前記パネル本体の前記他方の板面の前記凸部に対応する第２領域には、前記他方の板面の前記第２領域以外の平面領域から窪む凹部が前記パネル本体と一体に形成され、
前記コネクタ端子は、前記凸部から前記凹部に貫通していること。
（２）  上記（１）の構成の電気回路付きパネルにおいて、
前記回路体が、前記パネル本体の他方の板面から突出する前記コネクタ端子の突出部に導通するように、且つ、前記他方の板面における前記第２領域及び前記平面領域を連続して覆うように、前記パネル本体の他方の板面側に配設されていること。
（３）  上記（２）の構成の電気回路付きパネルにおいて、
前記回路体が、前記パネル本体の他方の板面に金属ペーストを印刷することにより形成された印刷回路体であること。
（４）  上記（２）の構成の電気回路付きパネルにおいて、
前記回路体が、フラット回路体により構成され、該回路体が前記パネル本体に対して後付けされることで、前記回路体に対して前記コネクタ端子の突出部が貫通し、前記回路体と前記コネクタ端子とが導通接続されること。
（５）  上記（２）〜（４）のいずれかの構成の電気回路付きパネルにおいて、
前記パネル本体の前記凹部に、前記コネクタ端子の突出部と前記回路体との導通部と、該回路体に実装された電子部品とが収容されており、該凹部を覆った状態で、前記パネル本体の他方の板面に緩衝材を介して表皮材が貼り付けられていること。
【０００９】
上記（１）の構成の電気回路付きパネルによれば、樹脂の成形品からなるパネル本体に一体にコネクタ端子が固定され、そのコネクタ端子の突出部を囲むように、パネル本体にコネクタハウジング部が一体に形成され、それらコネクタ端子とコネクタハウジング部とでコネクタが構成されている。従って、例えば電装品をパネルに取り付ける際に同時に電装品側のコネクタとパネル側のコネクタとをワンタッチで接続することができる。つまり、パネルと電装品の電気接続及び物理接続をワンタッチで行うことができ、組付作業性の向上が図れる。また、パネルとコネクタが一体化されているので、部品点数の削減が図れる。
上記（２）の構成の電気回路付きパネルによれば、パネル本体の一方の板面側に突出形成されたコネクタハウジング部の存在に邪魔されることなく、パネル本体の他方の板面側において回路体のレイアウトを自由に行うことができる。
上記（３）の構成の電気回路付きパネルによれば、回路体を容易に薄く作成することができる。
上記（４）の構成の電気回路付きパネルによれば、回路体をパネル本体に後付けすることで、簡単に回路体とパネル本体側のコネクタ端子とを導通接続することができる。
上記（５）の構成の電気回路付きパネルによれば、パネル本体の凹部に保護すべき部分を収容するので、安定した品質の製品を提供することができる。
【発明の効果】
【００１０】
本発明によれば、例えば電装品をパネルに取り付ける際にパネルと電装品の電気接続及び物理接続をワンタッチで行うことができ、組付作業性の向上を図ることができる。また、パネルとコネクタが一体化されているので、部品点数の削減が図れる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本発明の第１実施形態の電気回路付きパネルの要部断面図である。
【図２】図２は、同電気回路付きパネルと電装品側のコネクタとを接続しようとしている状態を示す斜視図である。
【図３】図３は、本発明の第２実施形態の電気回路付きパネルの説明図で、（ａ）は要部断面図、（ｂ）は（ａ）のＣ−Ｃ矢視断面図である。
【図４】図４は、従来の電気回路付きパネルの例を示す斜視図である。
【発明を実施するための形態】
【００１３】
本発明に関する具体的な実施形態について、各図を参照しながら以下に説明する。
＜第１実施形態＞
図１は第１実施形態の電気回路付きパネルの要部断面図、図２は同電気回路付きパネルと電装品側のコネクタとを接続しようとしている状態を示す斜視図である。
【００１４】
図１に示すように、本実施形態の電気回路付きパネル１０は、樹脂の成形品よりなるパネル本体１１と、所定本数のコネクタ端子（例えば、ピン状のオス端子）１２と、回路体２０と、回路保護カバー３１と、緩衝材としての発泡材３２と、表皮材３３と、を備えている。図１において、Ａは電気回路付きパネル１０の裏面側、Ｂは電気回路付きパネル１０の表面側を示している。基材としてのパネル本体１１は裏面側Ａに配置され、表皮材３３は表面側Ｂに配置されている。
【００１５】
コネクタ端子１２は、インサート成形によりパネル本体１１に一体化されており、パネル本体１１の一方の板面１１ａ（裏面側Ａに臨む板面）から他方の板面１１ｂ（表面側Ｂに臨む板面）に貫通している。パネル本体１１の所定箇所には、一方の板面１１ａ側に凸部１５ａ、凸部１５ａの反対側（他方の板面１１ｂ側）に凹部１５ｂが形成されており、その凸部１５ａと凹部１５ｂの中央領域にコネクタ端子１２が貫通している。
【００１６】
パネル本体１１の一方の板面１１ａの凸部１５ａ上には、パネル本体１１の成形時に、パネル本体１１の一方の板面１１ａから突出するコネクタ端子１２の突出部１２ａを囲むように、枠状のコネクタハウジング部１３がパネル本体１１と一体に突出形成されている。これにより、コネクタハウジング部１３は、コネクタ端子１２と共に電装品側のコネクタ５１と嵌合可能なコネクタ１８を構成している。そして、コネクタハウジング部１３の内部の空間が、相手側のコネクタの嵌合空間１４となっている。
【００１７】
回路体２０は、パネル本体１１の他方の板面１１ｂ側に配設されており、パネル本体１１の他方の板面１１ｂから突出するコネクタ端子１２の突出部１２ｂに導通接続されている。
【００１８】
ここで、回路体２０として、パネル本体１１と別体のフラット回路体を用いた場合は、回路体２０をパネル本体１１に対して後付けすることで、回路体２０に対して、コネクタ端子１２の突出部１２ｂを貫通させることででき、それにより、回路体２０（特にその中の導体部）とコネクタ端子１２とを導通接続することができる。なお、回路体２０は、パネル本体１１の他方の板面１１ｂに金属ペーストを直接印刷することにより形成された印刷回路体で構成することもできる。
【００１９】
また、パネル本体１１の他方の板面１１ｂ側に形成された凹部１５ｂに、コネクタ端子１２の突出部１２ｂと回路体２０との導通部と、回路体２０に実装された電子部品２１、２２とが収容されている。それらの部位は回路保護カバー３１で保護されている。そして、回路保護カバー３１の上からその凹部１５ｂを覆った状態で、パネル本体１１の他方の板面１１ｂに、緩衝材である発泡材３２を介して表皮材３３が貼り付けられている。
【００２０】
上記のように、本実施形態の電気回路付きパネル１０では、樹脂の成形品からなるパネル本体１１に一体にコネクタ端子１２が固定され、そのコネクタ端子１２の突出部を囲むように、パネル本体１１にコネクタハウジング部１３が一体に形成され、それらコネクタ端子１２とコネクタハウジング部１３とでコネクタ１８が構成されている。従って、図２に示すように、電装品を電気回路付きパネル１０に取り付ける際に同時に電装品側のコネクタ５１と電気回路付きパネル１０側のコネクタ１８とをワンタッチで接続することができる。つまり、電気回路付きパネル１０と電装品の電気接続及び物理接続をワンタッチで行うことができ、組付作業性の向上が図れる。また、電気回路付きパネル１０とコネクタ１８が一体化されているので、部品点数の削減が図れる。
【００２１】
また、回路体２０をフラット回路体で構成し、パネル本体１１に後付けするようにすれば、簡単に回路体２０とパネル本体１１側のコネクタ端子１２とを導通接続することができるし、回路体２０を金属ペーストによる印刷回路体で構成すれば、回路体２０をより一層容易に薄く作成することができる。
【００２２】
また、本実施形態のように、パネル本体１１の凹部１５ｂに保護すべき部分（回路体とコネクタ端子の導通部や電子回路２１、２２など）を収容することにより、安定した品質の製品を提供することができる。
【００２３】
＜第２実施形態＞
図３は、本発明の第２実施形態の電気回路付きパネルの説明図で、（ａ）は要部断面図、（ｂ）は（ａ）のＣ−Ｃ矢視断面図である。
【００２４】
図３（ａ）、（ｂ）に示すように、本実施形態の電気回路付きパネル１１０は、樹脂の成形品よりなるパネル本体１１１と、所定本数のコネクタ端子（例えば、ピン状のオス端子）１２と、回路体１２０と、を備えている。図３（ａ）において、Ａは電気回路付きパネル１１０の裏面側、Ｂは電気回路付きパネル１１０の表面側を示している。また、Ｐは電気回路付きパネル１１０側、Ｅは電装品側を示している。
【００２５】
電装品側の構成としては、基板１５０の一方側の面に、例えばタクトスイッチ１５５が設けられ、基板１５０の他方側の面にコネクタ１５１が設けられ、そのコネクタ１５１の中に、本実施形態の電気回路付きパネル１１０のコネクタ端子１２と電気接続されるメス端子１５３が設けられている。
【００２６】
本実施形態の電気回路付きパネル１１０には、この電装品側Ｅのコネクタ１５１と接続するためのコネクタ１１８が一体に設けられている。
【００２７】
具体的には、コネクタ端子１２は、インサート成形によりパネル本体１１１に一体化されており、パネル本体１１１の一方の板面１１１ａ（裏面側Ａに臨む板面）から他方の板面１１１ｂ（表面側Ｂに臨む板面）に貫通している。
【００２８】
パネル本体１１１の一方の板面１１１ａ上には、パネル本体１１１の成形時に、パネル本体１１１の一方の板面１１１ａから突出するコネクタ端子１２の突出部１２ａを囲むように、枠状のコネクタハウジング部１１３がパネル本体１１１と一体に突出形成されている。これにより、コネクタハウジング部１１３は、コネクタ端子１２と共に電装品側のコネクタ１５１と嵌合可能なコネクタ１１８を構成している。そして、コネクタハウジング部１１３の内部の空間が、相手側のコネクタの嵌合空間１１４となっている。
【００２９】
回路体１２０は、パネル本体１１１の他方の板面１１１ｂ側に配設されており、パネル本体１１１の他方の板面１１１ｂから突出するコネクタ端子１２の突出部１２ｂに導通接続されている。
【００３０】
ここでは、回路体１２０として、パネル本体１１１の他方の板面１１１ｂに金属ペーストを直接印刷することにより形成された印刷回路体が設けられている。
【００３１】
上記のように、本実施形態の電気回路付きパネル１１０では、樹脂の成形品からなるパネル本体１１１に一体にコネクタ端子１２が固定され、そのコネクタ端子１２の突出部を囲むように、パネル本体１１１にコネクタハウジング部１１３が一体に形成され、それらコネクタ端子１２とコネクタハウジング部１１３とでコネクタ１１８が構成されている。従って、電装品を電気回路付きパネル１１０に取り付ける際に同時に電装品側のコネクタ１５１と電気回路付きパネル１１０側のコネクタ１１８とをワンタッチで接続することができる。つまり、電気回路付きパネル１１０と電装品の電気接続及び物理接続をワンタッチで行うことができ、組付作業性の向上が図れる。また、電気回路付きパネル１１０とコネクタ１１８が一体化されているので、部品点数の削減が図れる。
【００３２】
また、回路体１２０を金属ペーストによる印刷回路体で構成しているので、回路体１２０を容易に薄く作成することができる。
【００３３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３４】
例えば、上記各実施形態では、回路体２０、１２０がパネル本体１１、１１１の表面側Ｂに配設されている場合について述べたが、回路体がパネル本体１１、１１１の裏面側Ａ（コネクタハウジング部１３、１１３の設けられている側）に配設されていてもよい。具体的には、枠状に突出形成されたコネクタハウジング部１３、１１３の内底部に、コネクタ端子１２の突出部１２ａの根元部分と導通するように回路体が配設されていてもよい。
また、実施例ではパネル本体とコネクタ端子をインサート成形により一体化したが、一体化する手法はインサート成形に限られない。例えば、圧入でも良い。
【００３５】
ここで、上述した本発明に係る電気回路付きパネルの実施形態の特徴をそれぞれ以下［１］〜［５］に簡潔に纏めて列記する。
［１］  樹脂の成形品よりなるパネル本体（１１、１１１）と、
前記パネル本体（１１、１１１）に一体化されて、該パネル本体（１１、１１１）の一方の板面（１１ａ、１１１ａ）から他方の板面（１１ｂ、１１１ｂ）に貫通するコネクタ端子（１２）と、
前記パネル本体（１１、１１１）の一方の板面（１１ａ、１１１ａ）から突出する前記コネクタ端子（１２）の突出部（１２ａ）を囲むように、前記パネル本体（１１、１１１）の一方の板面（１１ａ、１１１ａ）に、該パネル本体（１１、１１１）と一体に突出形成され、前記コネクタ端子（１２）と共にコネクタ（１８、１１８）を構成する枠状のコネクタハウジング部（１３、１１３）と、
前記コネクタ端子（１２）に導通するように前記パネル本体（１１）の板面に配設された回路体（２０、１２０）と、
を備えることを特徴とする電気回路付きパネル（１０、１１０）。
［２］  前記回路体（２０、１２０）が、前記パネル本体（１１、１１１）の他方の板面（１１ｂ、１１１ｂ）から突出する前記コネクタ端子（１２）の突出部（１２ｂ）に導通するように、前記パネル本体（１１、１１１）の他方の板面（１１ｂ、１１１ｂ）側に配設されていることを特徴とする上記［１］に記載の電気回路付きパネル（１０、１１０）。
［３］  前記回路体（２０、１２０）が、前記パネル本体（１１、１１１）の他方の板面（１１ｂ、１１１ｂ）に金属ペーストを印刷することにより形成された印刷回路体であることを特徴とする上記［２］に記載の電気回路付きパネル（１０、１１０）。
［４］  前記回路体（２０）が、フラット回路体により構成され、該回路体（２０）が前記パネル本体（１１）に対して後付けされることで、前記回路体（２０）に対して前記コネクタ端子（１２）の突出部（１２ｂ）が貫通し、前記回路体（２０）と前記コネクタ端子（１２）とが導通接続されることを特徴とする上記［２］に記載の電気回路付きパネル（１０）。
［５］  前記パネル本体（１１）の他方の板面（１１ｂ）側に凹部（１５ｂ）が形成され、該凹部（１５ｂ）に、前記コネクタ端子（１２）の突出部（１２ｂ）と前記回路体（２０）との導通部と、該回路体（２０）に実装された電子部品（２１、２２）とが収容されており、該凹部（１５ｂ）を覆った状態で、前記パネル本体（１１）の他方の板面（１１ｂ）に緩衝材（発泡材３２）を介して表皮材（３３）が貼り付けられていることを特徴とする上記［２］ないし［４］のいずれかに記載の電気回路付きパネル（１０）。
【符号の説明】
【００３６】
１０，１１０  電気回路付きパネル
１１，１１１  パネル本体
１１ａ，１１１ａ  一方の板面
１１ｂ，１１１ｂ  他方の板面
１２  コネクタ端子
１２ａ，１２ｂ  突出部
１３，１１３  コネクタハウジング部
１５ｂ  凹部
１８，１１８  コネクタ
２０，１２０  回路体
２１，２２  電子部品
３２  発泡材（緩衝材）
３３  表皮材
【図１】
0006690901.tif 000002
【図２】
0006690901.tif 000003
【図３】
0006690901.tif 000004
【図４】
0006690901.tif 000005